(57)【要約】      （修正有）【課題】離解の増大化を図ったパルパーを提供する。【解決手段】パルパーは、第１開口部４ａは第２開口部１０ａに連通し、原料の流入側にストレ−ナ−部材４が位置し、ストレ−ナ−部材は分割され、支持部材１０は、支持部材の外縁部１０Ａからストレ−ナ−支持部材の内縁部１０Ｂに向かって形成された複数の支持部１０Ｃと、隣接する支持部との間に第２の開口部が複数形成され、分割されたストレ−ナ−部材の端部４Ｘと隣接する端部４Ｙとが位置して支持部に分割されたストレ−ナ−部材の端部と隣接する分割されたストレ−ナ−部材の端部とが固定手段２０により着脱自在に固定され、分割されたストレ−ナ−部材の端部と隣接する分割されたストレ−ナ−部材の端部との間に凹所が形成され、ストレ−ナ−部材の表面より低く形成されたもので、凹所の底部はストレ−ナ−支持部材の支持部である。【選択図】図４
2013174027.tif 000002
【特許請求の範囲】
【請求項１】
上部に製紙原料投入口、下部に排出口を有し、製紙原料と水を受け入れる槽と、
この槽の前記排出口を覆い、貫通する第１の開口部を複数有し、前記製紙原料から異物を除去するうように設けられたストレ−ナ−部材と、
このストレ−ナ−部材の上に設けられ、前記製紙原料を離解させるロ−タと、
貫通する第２の開口部を複数有すると共に、前記ストレ−ナ−部材に当接して、前記ストレ−ナ−部材を支持するリング状のストレ−ナ−支持部材と、
前記ストレ−ナ−部材を前記ストレ−ナ−支持部材に固定する固定手段とを有し、
前記第１の開口部は前記第２の開口部に連通し、前記製紙原料の流入側に前記ストレ−ナ−部材が位置し、
前記ストレ−ナ−部材は分割され、
前記ストレ−ナ−支持部材は、前記ストレ−ナ−支持部材の外縁部から前記ストレ−ナ−支持部材の内縁部に向かって形成された複数の支持部と、隣接する前記支持部と前記支持部との間に前記第２の開口部が複数形成され、
前記支持部に分割された前記ストレ−ナ−部材の端部とこの分割された前記ストレ−ナ−部材の端部に隣接する分割された前記ストレ−ナ−部材の端部とが位置して前記支持部に分割された前記ストレ−ナ−部材の端部とこの分割された前記ストレ−ナ−部材の端部に隣接する分割された前記ストレ−ナ−部材の端部とが前記固定手段により着脱自在に固定され、
分割された前記ストレ−ナ−部材の端部とこの分割された前記ストレ−ナ−部材の端部に隣接する分割された前記ストレ−ナ−部材の端部との間に凹所が形成され、
この凹所は、前記ストレ−ナ−部材の表面より低く形成されたもので、前記凹所の底部は前記ストレ−ナ−支持部材の前記支持部である
ことを特徴とするパルパー。
【請求項２】
凹所は、分割されたストレ−ナ−部材の端部とこの分割された前記ストレ−ナ−部材の端部に隣接する分割された前記ストレ−ナ−部材の端部とに跨って形成されている    ことを特徴とする請求項１記載のパルパー。
【請求項３】
凹所は、平面視、分割された前記ストレ−ナ−部材の端部とこの分割された前記ストレ−ナ−部材の端部に隣接する分割された前記ストレ−ナ−部材の端部との間に平行な隙間が形成されている
ことを特徴とする請求項１記載のパルパー。
【発明の詳細な説明】
【技術分野】
【０００１】
本発明は、パルパーに係り、特に、離解の増大化を図ったパルパーに関する。
【背景技術】
【０００２】
本件出願人は、貫通する第１の開口部を複数有するストレ−ナ−部材と、貫通する第２の開口部を複数有すると共に、ストレ−ナ−部材に当接して、ストレ−ナ−部材を支持するストレ−ナ−支持部材と、ストレ−ナ−部材をストレ−ナ−支持部材に固定する固定手段とを有し、第１の開口部は第２の開口部に連通し、前記製紙原料の流入側にストレ−ナ−部材が位置しているパルパーを開示した（特許文献１参照）。
【先行技術文献】
【特許文献】
【０００３】
【特許文献１】特開２００５−１１３３０１号公報
【発明の概要】
【発明が解決しようとする課題】
【０００４】
上述したパルパーにあっては、離解の増大化を図るために、ストレ−ナ−部材に凹所を設けることが考えられる。
しかしながら、ストレ−ナ−部材の第１の開口部の領域に凹所を設けると、第１の開口部の面積が小さくなり、ストレ−ナ−の性能を低下させるという問題点があった。
【０００５】
本発明は、上記の問題点を考慮してなされたもので、離解の増大化を図ったパルパーを提供することを目的とする。
【課題を解決するための手段】
【０００６】
請求項１記載のパルパーは、上部に製紙原料投入口、下部に排出口を有し、製紙原料と水を受け入れる槽と、この槽の前記排出口を覆い、貫通する第１の開口部を複数有し、前記製紙原料から異物を除去するうように設けられたストレ−ナ−部材と、このストレ−ナ−部材の上に設けられ、前記製紙原料を離解させるロ−タと、貫通する第２の開口部を複数有すると共に、前記ストレ−ナ−部材に当接して、前記ストレ−ナ−部材を支持するリング状のストレ−ナ−支持部材と、前記ストレ−ナ−部材を前記ストレ−ナ−支持部材に固定する固定手段とを有し、前記第１の開口部は前記第２の開口部に連通し、前記製紙原料の流入側に前記ストレ−ナ−部材が位置し、前記ストレ−ナ−部材は分割され、前記ストレ−ナ−支持部材は、前記ストレ−ナ−支持部材の外縁部から前記ストレ−ナ−支持部材の内縁部に向かって形成された複数の支持部と、隣接する前記支持部と前記支持部との間に前記第２の開口部が複数形成され、前記支持部に分割された前記ストレ−ナ−部材の端部とこの分割された前記ストレ−ナ−部材の端部に隣接する分割された前記ストレ−ナ−部材の端部とが位置して前記支持部に分割された前記ストレ−ナ−部材の端部とこの分割された前記ストレ−ナ−部材の端部に隣接する分割された前記ストレ−ナ−部材の端部とが前記固定手段により着脱自在に固定され、分割された前記ストレ−ナ−部材の端部とこの分割された前記ストレ−ナ−部材の端部に隣接する分割された前記ストレ−ナ−部材の端部との間に凹所が形成され、この凹所は、前記ストレ−ナ−部材の表面より低く形成されたもので、前記凹所の底部は前記ストレ−ナ−支持部材の前記支持部である。
【０００７】
また、請求項２記載のパルパーは、請求項１記載のパルパーにおいて、凹所は、分割されたストレ−ナ−部材の端部とこの分割された前記ストレ−ナ−部材の端部に隣接する分割された前記ストレ−ナ−部材の端部とに跨って形成されているものである。
【０００８】
また、請求項３記載のパルパーは、請求項１記載のパルパーにおいて、凹所は、平面視、分割された前記ストレ−ナ−部材の端部とこの分割された前記ストレ−ナ−部材の端部に隣接する分割された前記ストレ−ナ−部材の端部との間に平行な隙間が形成されているものである。
【発明の効果】
【０００９】
請求項１記載のパルパーによれば、ストレ−ナ−支持部材は、前記ストレ−ナ−支持部材の外縁部から前記ストレ−ナ−支持部材の内縁部に向かって形成された複数の支持部と、隣接する前記支持部と前記支持部との間に前記第２の開口部が複数形成され、前記支持部に分割されたストレ−ナ−部材の端部とこの分割された前記ストレ−ナ−部材の端部に隣接する分割された前記ストレ−ナ−部材の端部とが位置して前記支持部に分割された前記ストレ−ナ−部材の端部とこの分割された前記ストレ−ナ−部材の端部に隣接する分割された前記ストレ−ナ−部材の端部とが前記固定手段により着脱自在に固定され、分割された前記ストレ−ナ−部材の端部とこの分割された前記ストレ−ナ−部材の端部に隣接する分割された前記ストレ−ナ−部材の端部との間に凹所が形成され、この凹所は、前記ストレ−ナ−部材の表面より低く形成されたもので、前記凹所の底部は前記ストレ−ナ−支持部材の前記支持部であるため、ストレ−ナ−支持部材の支持部を利用して、製紙原料を離解させる凹所を形成することができる。
【００１０】
また、請求項２記載のパルパーによれば、上述した請求項１記載の発明の効果に加え、凹所は、分割されたストレ−ナ−部材の端部とこの分割された前記ストレ−ナ−部材の端部に隣接する分割された前記ストレ−ナ−部材の端部とに跨って形成され、両端部に跨っているため、ストレ−ナ−部材の第１の開口部の領域に影響を与えず、凹所を大きくとることができる。
【００１１】
また、請求項３記載のパルパーによれば、上述した請求項１記載の発明の効果に加え、凹所は、平面視、分割された前記ストレ−ナ−部材の端部とこの分割された前記ストレ−ナ−部材の端部に隣接する分割された前記ストレ−ナ−部材の端部との間に平行な隙間が形成されているため、ストレ−ナ−部材の第１の開口部の領域に影響を与えず、凹所を大きくとることができる。
【図面の簡単な説明】
【００１２】
【図１】図１は、本発明の一実施例のパルパーの概略的断面図である。
【図２】図２は、図１のストレーナの概略的平面図である。
【図３】図３は、図２の３−３線による概略的断面図である。
【図４】図４は、図３のストレーナの一部を取り外して示す概略的分解斜視図である。
【図５】図５は、図２のストレーナと異なる他の実施例のストレーナの概略的斜視図である。
【図６】図６は、図５のストレーナの一部を取り外して示す概略的分解斜視図である。
【図７】図７は、図５のストレーナと異なる他の実施例のストレーナの概略的平面図である。
【図８】図８は、図７の８−８線による概略的断面図である。
【発明を実施するための形態】
【００１３】
本発明の一実施例のパルパーを図面を参照して説明する。
図１に示すＰは、槽１内にパルプ、古紙等の製紙原料を投入して水中で離解させるパルパーで、該パルパーＰは、上部に製紙原料投入口１ａ、下部に排出口１ｂを有し、製紙原料と水を受け入れる槽１を有している。
槽１は、下方に位置する逆円錐台部１Ａと、上方に位置する円筒部１Ｂとを有し、円筒部１Ｂは逆円錐台部１Ａに接続されている。
パルプ、古紙等の製紙原料（図示せず）は、槽１内へコンベア（図示せず）により連続的に供給され、また、水は第１のパイプ（図示せず）により槽１内へ供給され、槽１内で離解された製紙原料は第２のパイプ２により、槽１外へと排出されるようになっている。なお、図１に示す３、３は、槽１を支持する脚部である。
【００１４】
また、図１及び図２に示す４は、槽１の排出口１ｂを覆い、貫通する第１の開口部４ａを複数有し、製紙原料から異物を除去するうように設けられたストレ−ナ−部材で、ストレ−ナ−部材４は、例えば、第１の開口部４ａ(例えば、丸穴、四角形穴、三角形穴、台形穴、長穴等）を多数形成したリング状のものである。
また、図１に示す５は、ストレ−ナ−部材４の上に設けられ、製紙原料を離解させるロ−タである。ロ−タ５は、モータ（図示せず）から伝達された動力をベルト７、プーリー８、回転軸９を介して回転されるようになっている。
【００１５】
また、図３及び図４に示す１０は、貫通する第２の開口部１０ａを複数有すると共に、ストレ−ナ−部材４に当接して、ストレ−ナ−部材４を支持するリング状のストレ−ナ−支持部材で、ストレ−ナ−支持部材１０の第２の開口部１０ａは、図３に示すように、第１の開口部４ａに連通し、製紙原料の流入側にストレ−ナ−部材４（図１及び図３参照）が位置している。
なお、ストレ−ナ−支持部材１０は、槽１内に設けられた支持台（図示せず）に支持されている。
【００１６】
ストレ−ナ−支持部材１０は、図４に示すように、ストレ−ナ−支持部材１０の外縁部１０Ａからストレ−ナ−支持部材１０の内縁部１０Ｂに向かって形成された複数の支持部１０Ｃ（支持部１０Ｃは、複数で、例えば、本実施例では、分割されたストレ−ナ−部材４の接合部毎に、６箇所）と、隣接する支持部１０Ｃと支持部１０Ｃとの間に第２の開口部１０ａが複数形成され、ストレ−ナ−部材４は、固定手段２０（例えば、ねじ）により、ストレ−ナ−支持部材１０に固定されている。
そして、ストレ−ナ−支持部材１０の支持部１０Ｃに分割されたストレ−ナ−部材４の端部４Ｘとこの分割されたストレ−ナ−部材４の端部４Ｘに隣接する分割されたストレ−ナ−部材４の端部４Ｙとが位置して、支持部１０Ｃに分割されたストレ−ナ−部材４の端部４Ｘとこの分割されたストレ−ナ−部材４の端部４Ｘに隣接する分割されたストレ−ナ−部材４の端部４Ｙとが固定手段２０により着脱自在に固定されるようになっている。
また、分割されたストレ−ナ−部材４の端部４Ｘとこの分割されたストレ−ナ−部材４の端部４Ｘに隣接する分割されたストレ−ナ−部材４の端部４Ｙとの間に凹所３０が形成されている（図２及び図４参照）。
この凹所３０は、ストレ−ナ−部材４の表面より低く形成されたもので、凹所３０の底部はストレ−ナ−支持部材４の支持部１０Ｃである。
【００１７】
従って、上述したパルパーＰによれば、ストレ−ナ−支持部材１０は、ストレ−ナ−支持部材１０の外縁部１０Ａからストレ−ナ−支持部材１０の内縁部１０Ｂに向かって形成された複数の支持部１０Ｃと、隣接する支持部１０Ｃと支持部１０Ｃとの間に第２の開口部１０ａが複数形成され、支持部１０Ｃに分割されたストレ−ナ−部材４の端部４Ｘとこの分割されたストレ−ナ−部材４の端部４Ｘに隣接する分割されたストレ−ナ−部材４の端部４Ｙとが位置して、支持部１０Ｃに分割されたストレ−ナ−部材４の端部４Ｘとこの分割されたストレ−ナ−部材４の端部４Ｘに隣接する分割されたストレ−ナ−部材４の端部４Ｙとが固定手段２０により着脱自在に固定され、分割されたストレ−ナ−部材４の端部４Ｘとこの分割されたストレ−ナ−部材４の端部４Ｘに隣接する分割されたストレ−ナ−部材４の端部４Ｙとの間に凹所３０が形成され、この凹所３０は、ストレ−ナ−部材４の表面より低く形成されたもので、凹所３０の底部はストレ−ナ−支持部材１０の支持部１０Ｃであるため、ストレ−ナ−支持部材１０の支持部１０Ｃを利用して、製紙原料を離解させる凹所３０を形成することができる。
なお、凹所３０に流入した製紙原料は  凹所３０とロ−タ５の羽根とにより、更に離解されることとなる。
【００１８】
また、凹所３０は、図２に示すように、分割されたストレ−ナ−部材４の端部４Ｘとこの分割されたストレ−ナ−部材４の端部４Ｘに隣接する分割されたストレ−ナ−部材４の端部４Ｙとに跨って形成され、つまり、両端部に跨っているため、ストレ−ナ−部材４の第１の開口部４ａの領域に影響を与えず、凹所３０を大きくとることができる。
【００１９】
また、上述した実施例のストレ−ナ−部材４は、分割面である端部４Ｘ、４Ｙをストレ−ナ−部材４の中心に向くように扇状に分割したが、本願発明にあっては、これに限らず、例えば、図５及び図６に示すように、ストレ−ナ−部材４を、凹所３０とロ−タ５の羽根とがハサミのようにクロスするように傾斜させて分割するようにしても良い。
【００２０】
また、上述した実施例の凹所３０は、隣接する一方のストレ−ナ−部材４の端部４Ｘと隣接する他方のストレ−ナ−部材４の端部４Ｙとに跨って形成したが、本願発明にあっては、これに限らず、例えば、図７及び図８に示すように、凹所３０を、平面視、分割された隣接する一方のストレ−ナ−部材４の端部４Ｘとこの端部４Ｘに分割された隣接する他方のストレ−ナ−部材４の端部４Ｙとの間に平行な隙間ができるように構成しても良い。
【符号の説明】
【００２１】
Ｐ      パルパー
４      ストレ−ナ−部材
４Ｘ    端部
４Ｙ    端部
１０    ストレ−ナ−支持部材
１０Ａ  外縁部
１０Ｂ  内縁部
１０Ｃ  支持部
１０ａ  第２の開口部
２０     固定手段
３０     凹所
【図１】
2013174027.tif 000003
【図２】
2013174027.tif 000004
【図３】
2013174027.tif 000005
【図４】
2013174027.tif 000006
【図５】
2013174027.tif 000007
【図６】
2013174027.tif 000008
【図７】
2013174027.tif 000009
【図８】
2013174027.tif 000010